(57)【要約】【課題】多数の気泡が予め混入された気泡混入水を複数の噴霧孔から噴霧する噴霧ノズルを備える室外機において、複数の噴霧孔から微細な液滴を安定して噴霧する。【解決手段】空気調和装置の室外機１１は、熱交換器１３と、熱交換器１３に向かう空気に水を噴霧するための噴霧ノズル５とを備える。噴霧ノズル５は、多数の気泡を水に混入する第１気泡混入部２１と、多数の気泡を水に混入する第２気泡混入部２２と、第１気泡混入部２１から供給される水を噴霧する第１噴霧部１と、第２気泡混入部２２から供給される水を噴霧する第２噴霧部２と、を有する。【選択図】図３
2014126334.tif 000002
【特許請求の範囲】
【請求項１】
熱交換器（１３）と、
前記熱交換器（１３）に向かう空気に水を噴霧するための噴霧ノズル（５）と、を備え、
前記噴霧ノズル（５）は、
多数の気泡を水に混入する第１気泡混入部（２１）と、
多数の気泡を水に混入する第２気泡混入部（２２）と、
前記第１気泡混入部（２１）から供給される水を噴霧する第１噴霧部（１）と、
前記第２気泡混入部（２２）から供給される水を噴霧する第２噴霧部（２）と、を有する空気調和装置の室外機。
【請求項２】
前記第１気泡混入部（２１）は、前記第１噴霧部（１）に向かって延びる形状を呈し、
前記第２気泡混入部（２２）は、前記第２噴霧部（２）に向かって延びるとともに、前記第１噴霧部（１）の周りを囲む環形状を呈する、請求項１に記載の空気調和装置の室外機。
【請求項３】
噴霧ノズル（５）は、
前記第１気泡混入部（２１）と前記第２気泡混入部（２２）との間において前記第１気泡混入部（２１）の周りを囲む環形状を呈し、前記第１気泡混入部（２１）に空気を供給するための第１エア流路（ＡＦ１）と、
前記第２気泡混入部（２２）の周りを囲む環形状を呈し、前記第２気泡混入部（２２）に空気を供給するための第２エア流路（ＡＦ２）と、をさらに有する、請求項２に記載の空気調和装置の室外機。
【請求項４】
前記第１噴霧部（１）は、前記第１気泡混入部（２１）から供給される水を噴霧する第１噴霧孔（５１）を有し、
前記第２噴霧部（２）は、前記第２気泡混入部（２２）から供給される水を噴霧する第２噴霧孔（５２）を有し、前記第２噴霧孔（５２）は、前記第１噴霧孔の周りを囲む環形状を呈している、請求項１〜３の何れか１項に記載の空気調和装置の室外機。
【請求項５】
前記第１噴霧部（１）は、前記第１気泡混入部（２１）から供給される水を噴霧する第１噴霧孔（５１）を有し、
前記第２噴霧部（２）は、前記第２気泡混入部（２２）から供給される水を噴霧する複数の第２噴霧孔（５２）を有し、前記複数の第２噴霧孔（５２）は、互いに間隔をあけて前記第１噴霧孔（５１）の周方向に沿って並んでいる、請求項１〜３の何れか１項に記載の空気調和装置の室外機。
【請求項６】
前記複数の第２噴霧孔（５２）のうち、前記熱交換器（１３）に近い側に設けられた隣り合う前記第２噴霧孔（５２）の間隔は、残りの第２噴霧孔（５２）における隣同士の間隔よりも大きい、請求項５に記載の空気調和装置の室外機。
【請求項７】
前記第２噴霧孔（５２）から噴霧される水の噴霧方向は、前記第１噴霧孔（５１）から噴霧される水の噴霧方向に対して遠ざかる方向に傾斜している、請求項４〜６の何れか１項に記載の空気調和装置の室外機。
【発明の詳細な説明】
【技術分野】
【０００１】
本発明は、空気調和装置の室外機に関する。
【背景技術】
【０００２】
従来、噴霧ノズルから水を熱交換器に噴霧して熱交換器を補助的に冷却する噴霧装置を備えた空気調和装置の室外機が知られている（例えば特許文献１）。また、噴霧ノズルとしては、例えば特許文献２や特許文献３に開示されているタイプの噴霧ノズルが知られている。この室外機では、噴霧された水により熱交換器が冷却されるので、空気調和装置に必要とされる動力（消費電力）を低減する効果が得られる。
【０００３】
このような室外機では、噴霧ノズルから噴霧される液滴が熱交換器の表面に付着すると、熱交換器が腐食する場合がある。そこで、特許文献１には、微細ミストを発生させるノズルを噴霧ノズルとして用いることによって、液滴が熱交換器に到達する前に蒸発しやすいようにする技術が開示されている。
【０００４】
ところで、噴霧された水は、空気との接触面積が大きいほど蒸発しやすい。したがって、噴霧された水の蒸発をさらに促進する手段として、例えば噴霧ノズルに複数の噴霧孔を設ける方法が考えられる。噴霧ノズルに１つの噴霧孔のみが設けられている場合と噴霧量が同程度であるという前提においては、複数の噴霧孔から水を噴霧することによって水と空気との接触面積が大きくなる。
【先行技術文献】
【特許文献】
【０００５】
【特許文献１】特開２００８−１２８５００号公報
【特許文献２】実用新案登録第３０３２２０１号公報
【特許文献３】特開２００８−１８４００号公報
【発明の概要】
【発明が解決しようとする課題】
【０００６】
多数の気泡が予め混入された水を噴霧孔から噴霧するタイプの噴霧ノズルにおいて、複数の噴霧孔のそれぞれから微細な液滴を噴霧するためには、複数の噴霧孔のそれぞれに対して、多数の気泡が分散された状態の水を供給する必要があるが、気泡が水中において偏在することがあり、そのため、単に噴霧ノズルに複数の噴霧孔を設けるだけでは、必ずしも複数の噴霧孔のそれぞれから微細な液滴を噴霧することができるとは限らない。
【０００７】
本発明の目的は、多数の気泡が予め混入された水を複数の噴霧孔から噴霧する噴霧ノズルを備える室外機において、気泡の偏在が抑制された水を複数の噴霧孔のそれぞれに供給することである。
【課題を解決するための手段】
【０００８】
本発明の空気調和装置の室外機は、熱交換器（１３）と、前記熱交換器（１３）に向かう空気に水を噴霧するための噴霧ノズル（５）と、を備える。前記噴霧ノズル（５）は、多数の気泡を水に混入する第１気泡混入部（２１）と、多数の気泡を水に混入する第２気泡混入部（２２）と、前記第１気泡混入部（２１）から供給される水を噴霧する第１噴霧部（１）と、前記第２気泡混入部（２２）から供給される水を噴霧する第２噴霧部（２）と、を有する。
【０００９】
この構成では、噴霧ノズル（５）が第１噴霧部（１）と第２噴霧部（２）とを有し、第１噴霧部（１）には、第１気泡混入部（２１）から水が供給され、第２噴霧部（２）には、第２気泡混入部（２２）から水が供給される。すなわち、単一の噴霧ノズル（５）内に、各噴霧部に対応する気泡混入部が設けられているので、各気泡混入部において多数の気泡が混入された水を対応する噴霧部に、気泡の偏在が抑制された状態で供給することができる。これにより、それぞれの噴霧部から微細な液滴を噴霧することができるので、水の蒸発を促進して熱交換器の腐食を抑制することができる。
【００１０】
前記室外機において、前記第１気泡混入部（２１）は、前記第１噴霧部（１）に向かって延びる形状を呈し、前記第２気泡混入部（２２）は、前記第２噴霧部（２）に向かって延びるとともに、前記第１噴霧部（１）の周りを囲む環形状を呈しているのが好ましい。
【００１１】
この構成では、第１気泡混入部（２１）の周りを囲むように第２気泡混入部（２２）が配置されているので、噴霧ノズル（５）内のスペースを有効に利用しつつ、２つの気泡混入部（２１，２２）を互いに独立した状態で設けることができる。
【００１２】
前記室外機において、噴霧ノズル（５）は、前記第１気泡混入部（２１）と前記第２気泡混入部（２２）との間において前記第１気泡混入部（２１）の周りを囲む環形状を呈し、前記第１気泡混入部（２１）に空気を供給するための第１エア流路（ＡＦ１）と、前記第２気泡混入部（２２）の周りを囲む環形状を呈し、前記第２気泡混入部（２２）に空気を供給するための第２エア流路（ＡＦ２）と、をさらに有するのが好ましい。
【００１３】
この構成では、第１気泡混入部（２１）には、その周りに設けられた第１エア流路（ＡＦ１）から第１気泡混入部（２１）の周方向全体に空気を満遍なく供給することができ、また、第２気泡混入部（２２）には、その周りに設けられた第２エア流路（ＡＦ２）から第２気泡混入部（２２）の周方向全体に空気を満遍なく供給することができる。これにより、各気泡混入部においては、周方向において気泡の偏りが少ない水を生成することができる。
【００１４】
前記室外機において、前記第１噴霧部（１）は、前記第１気泡混入部（２１）から供給される水を噴霧する第１噴霧孔（５１）を有し、前記第２噴霧部（２）は、前記第２気泡混入部（２２）から供給される水を噴霧する第２噴霧孔（５２）を有し、前記第２噴霧孔（５２）は、前記第１噴霧孔（５１）の周りを囲む環形状を呈しているのが好ましい。
【００１５】
この構成では、第１噴霧孔（５１）から水を噴霧するとともに、その周りを囲む第２噴霧孔（５２）から水を環状に噴霧することができる。これにより、噴霧された水と空気との接触面積を大きくすることができる。
【００１６】
また、この構成では、第２気泡混入部（２２）が第１気泡混入部（２１）の周りを囲む環形状を呈する場合には、第２気泡混入部（２２）の環形状に沿った位置に第２噴霧孔（５２）を設けることができる。したがって、環形状の第２気泡混入部（２２）において多数の気泡が混入された水を、環形状の第２気泡混入部（２２）に沿って設けられた環形状の第２噴霧孔（５２）に供給することができる。これにより、第２噴霧孔（５２）から微細な液滴を環状に安定して噴霧することができる。
【００１７】
前記室外機において、前記第１噴霧部（１）は、前記第１気泡混入部（２１）から供給される水を噴霧する第１噴霧孔（５１）を有し、前記第２噴霧部（２）は、前記第２気泡混入部（２２）から供給される水を噴霧する複数の第２噴霧孔（５２）を有し、前記複数の第２噴霧孔（５２）は、互いに間隔をあけて前記第１噴霧孔（５１）の周方向に沿って並んでいる形態であってもよい。
【００１８】
この構成では、第１噴霧孔（５１）から水を噴霧するとともに、その周方向に沿って並ぶ複数の第２噴霧孔（５２）のそれぞれから水を噴霧することができる。これにより、噴霧された水と空気との接触面積を大きくすることができる。
【００１９】
また、この構成では、第２気泡混入部（２２）が第１気泡混入部（２１）の周りを囲む環形状を呈する場合には、第２気泡混入部（２２）の環形状に沿った位置に複数の第２噴霧孔（５２）を並べることができる。したがって、環形状の第２気泡混入部（２２）において多数の気泡が混入された水を、第２気泡混入部（２２）の環形状に沿って並ぶ複数の第２噴霧孔（５２）に供給することができる。これにより、複数の第２噴霧孔（５２）から微細な液滴を環状に安定して噴霧することができる。
【００２０】
前記室外機において、前記複数の第２噴霧孔（５２）のうち、前記熱交換器（１３）に近い側に設けられた隣り合う前記第２噴霧孔（５２）の間隔は、残りの第２噴霧孔（５２）における隣同士の間隔よりも大きい形態であってもよい。
【００２１】
この構成は、例えば次のような室外機に適している。すなわち、熱交換器（１３）に向かう空気の流れ方向に対して交わる方向（例えば直交する方向）に水が噴霧されるように噴霧ノズル（５）が配置される場合には、複数の第２噴霧孔（５２）のうち、熱交換器（１３）に近い側に設けられた隣り合う前記第２噴霧孔（５２）の間隔を、残りの第２噴霧孔（５２）における隣同士の間隔よりも大きくすることによって、熱交換器（１３）に近い側からの噴霧量を遠い側からの噴霧量に比べて相対的に少なくすることができる。これにより、噴霧された液滴が蒸発せずに熱交換器（１３）に付着するのをさらに抑制することができる。
【００２２】
前記室外機において、前記第２噴霧孔（５２）から噴霧される水の噴霧方向は、前記第１噴霧孔（５１）から噴霧される水の噴霧方向に対して遠ざかる方向に傾斜しているのが好ましい。
【００２３】
この構成では、第１噴霧孔（５１）から噴霧される水の拡散範囲と、第２噴霧孔（５２）から噴霧される水の拡散範囲とが重なりにくくなる。したがって、互いの拡散範囲が重なることに起因して水の粒径が大きくなるのを抑制できる。
【発明の効果】
【００２４】
本発明によれば、多数の気泡が予め混入された水を複数の噴霧孔から噴霧する噴霧ノズルを備える室外機において、気泡の偏在が抑制された水を複数の噴霧孔のそれぞれに供給することができる。これにより、複数の噴霧孔のそれぞれから微細な液滴を噴霧することができるので、水の蒸発が促進され、熱交換器の腐食を抑制することができる。
【図面の簡単な説明】
【００２５】
【図１】本発明の実施形態に係る室外機を示す概略図である。
【図２】前記室外機における噴霧ノズル、熱交換器及び吹出口の配置例を示す斜視図である。
【図３】前記噴霧ノズルを示す断面図である。
【図４】（Ａ）は、図３のＩＶＡ−ＩＶＡ線断面図であり、（Ｂ）は、図３のＩＶＢ−ＩＶＢ線断面図であり、（Ｃ）は、図３のＩＶＣ−ＩＶＣ線断面図であり、（Ｄ）は、前記噴霧ノズルを図３の矢印ＩＶＤの方向に視た図である。
【図５】（Ａ）は、前記噴霧ノズルのオリフィス部を示す断面図であり、（Ｂ）は、変形例１の噴霧ノズルのオリフィス部を示す断面図である。
【図６】変形例２の噴霧ノズルを示す断面図である。
【図７】変形例２の噴霧ノズルを示す図であり、（Ａ）は、図６のＶＩＩＡ−ＶＩＩＡ線断面図であり、（Ｂ）は、図６のＶＩＩＢ−ＶＩＩＢ線断面図であり、（Ｃ）は、図６の矢印ＶＩＩＣの方向に視た図である。
【図８】変形例３の噴霧ノズルを示す図であり、（Ａ）は、図６のＶＩＩＡ−ＶＩＩＡ線と同じ位置で変形例３の噴霧ノズルを切断したときの断面図であり、（Ｂ）は、図６のＶＩＩＢ−ＶＩＩＢ線と同じ位置で変形例３の噴霧ノズルを切断したときの断面図である。（Ｃ）は、変形例３の噴霧ノズルを図６の矢印ＶＩＩＣの方向と同じ方向から視た図であり、噴霧ノズルと熱交換器との位置関係を示している。
【図９】変形例３の噴霧ノズル、熱交換器及び送風機の配置例を示す側面図である。
【図１０】前記室外機における噴霧ノズル、熱交換器及び送風機の他の配置例を示す側面図である。
【図１１】前記室外機における噴霧ノズル、熱交換器及び送風機のさらに他の配置例を示す側面図である。
【発明を実施するための形態】
【００２６】
以下、本発明の実施形態に係る室外機１１について図面を参照して説明する。室外機１１は、空気調和装置に用いられる。この空気調和装置は、図１に示す室外機１１と、図略の室内機と、これらを接続する図略の冷媒配管とを備えている。
【００２７】
（室外機の全体構造）
図１に示すように、室外機１１は、ケース１２内に配置された熱交換器１３、送風機１４、圧縮機１５、噴霧装置４、外気温度センサ１８、制御部１６などを備えている。送風機１４、圧縮機１５及び噴霧装置４は、制御部１６により制御される。圧縮機１５及び熱交換器１３は、空気調和装置の冷媒回路に設けられている。
【００２８】
熱交換器１３としては、例えばクロスフィンコイル式の熱交換器が挙げられるが、これに限定されない。クロスフィンコイル式の熱交換器は、伝熱管と、伝熱管が貫通する多数のプレートフィンとを備えており、伝熱管の内部を冷媒が流れ、プレートフィン同士の間を外気が流れる。
【００２９】
図２に示すように、熱交換器１３は、ケース１２の底板から上方に延びており（即ち、熱交換器１３は、室外機１１の設置面（水平面）に対して立設され）、平面視で略Ｕ字形状を有している。ケース１２の４つの側板のうち、熱交換器１３に対向する３つの側板１２ａ，１２ｂ，１２ｃには、外気をケース１２内に吸い込むために図略の吸込口が設けられている。また、ケース１２の天板１２ｄにはケース１２内の空気を外部に吹き出すための吹出口１７が設けられている。
【００３０】
送風機（ファン）１４としては、遠心送風機、軸流送風機、斜流送風機などを用いることができる。図１に示すように、送風機１４は、羽根車１４ａと、この羽根車１４ａを回転させる図略のモータとを備えている。送風機１４は、室外機１１において熱交換器１３より水平方向内側で且つ上側に配置されている。具体的には、送風機１４は、図１に示すようにケース１２内の上部に設けられており、図２に示す吹出口１７の直下に配置されている。そして、送風機１４は、室外機１１（ケース１２）の内部に入って熱交換器１３と熱交換した後の空気を上方に向けて室外機１１（ケース１２）から外部に排出する。即ち、送風機１４は、熱交換器１３よりも空気の流れ方向の下流側に位置している。
【００３１】
空気調和装置の運転時には、圧縮機１５に動力が与えられることにより冷媒が室外機１１と前記室内機との間を循環するとともに、送風機１４の前記モータに動力が与えられることにより羽根車１４ａが回転し、前記吸込口からケース１２の内部に外気が吸い込まれる。ケース１２内に吸い込まれた外気は、上記のように、熱交換器１３において冷媒と熱交換した後、吹出口１７を通じてケース１２の外部に吹き出される。具体的には、例えば冷房運転時には、ケース１２内に吸い込まれた外気は、凝縮器として機能する熱交換器１３における前記伝熱管を介して、この伝熱管内を流れる高温高圧の冷媒と熱交換する。すなわち、外気は、熱交換器１３の伝熱管及び冷媒を冷却する。これにより、前記伝熱管を流れる冷媒は、冷却されて凝縮する。
【００３２】
（噴霧装置の全体構造）
次に、噴霧装置４について説明する。噴霧装置４は、冷房運転時において熱交換器１３に向かう外気を冷却することができる。すなわち、噴霧装置４は、熱交換器１３に向かう外気の温度を低下させることにより、熱交換器１３の伝熱管及び冷媒を冷却する効果を高めることができる。このように噴霧装置４は、熱交換器１３及び冷媒を補助的に冷却して空気調和装置の冷房能力を高めることができる。
【００３３】
図１及び図２に示すように、噴霧装置４は、複数の噴霧ノズル５と、水供給機構６０と、エア供給機構７０とを備えている。
【００３４】
各噴霧ノズル５は、熱交換器１３に向かう空気に水を噴霧する。複数の噴霧ノズル５は、ケース１２の側板、天板、又はケース１２に別途設けられた図略の支持部材によって支持されている。各噴霧ノズル５は、送風機１４の羽根車１４ａが回転することにより形成される気流の方向において、熱交換器１３よりも上流側に位置している。
【００３５】
本実施形態では、各噴霧ノズル５は、室外機１１において、熱交換器１３の側方に配置されている。各噴霧ノズル５は、熱交換器１３に向かう空気に水を噴霧する。本実施形態では、各噴霧ノズル５は、液滴（水滴）が熱交換器１３から遠ざかる方向（例えば水平方向）に噴霧されるように配置されているが、これに限られない。噴霧ノズル５は、例えば後述する図９、図１１などに示すように配置されていてもよい。
【００３６】
各噴霧ノズル５から噴霧された水滴は、図１に一点鎖線の矢印で示すように、熱交換器１３に向かう空気中を放射状に拡散しつつ、前記空気の流れによって熱交換器１３側に向きを変え、熱交換器１３に向かって移動する。水滴の全部又はその大半は、熱交換器１３に到達する前に気化する。
【００３７】
図２に示すように、複数の噴霧ノズル５は、噴霧装置４による冷却効果が熱交換器１３のほぼ全体にわたって及ぼされるように、熱交換器１３に対向する３つの側板１２ａ、１２ｂ、１２ｃにおいて互いに間隔を空けて配置されている。詳しくは、各噴霧ノズル５から噴霧される水滴が拡散する範囲、即ち、熱交換器１３に向かう外気が各噴霧ノズル５によって冷却される範囲に基づいて、複数の噴霧ノズル５は、互いに水平方向や鉛直方向に例えば数十センチ程度の間隔を空けて配置される。
【００３８】
水供給機構６０は、液送配管６１と、液送ポンプ６２とを含む。液送配管６１は、例えば水道などの水供給源Ｔと各噴霧ノズル５とを接続している。液送ポンプ６２は、液送配管６１を通じて水を各噴霧ノズル５に送液する。
【００３９】
エア供給機構７０は、例えばコンプレッサーなどの気送ポンプ７２と、気送配管７１とを含む。気送配管７１は、気送ポンプ７２と各噴霧ノズル５とを接続している。
【００４０】
図１では、一つの噴霧ノズル５に対して水供給機構６０及びエア供給機構７０が接続されている状態を示しており、他の噴霧ノズル５の図示を省略しているが、水供給機構６０及びエア供給機構７０は、他の噴霧ノズル５に対しても図１に示す接続状態と同様にして接続される。具体的には、例えば、水供給機構６０の液送配管６１は、途中で分岐して複数の噴霧ノズル５に接続され、エア供給機構７０の気送配管７１は、途中で分岐して複数の噴霧ノズル５に接続される。
【００４１】
外気温度センサ１８は、外気温度を検知することができる。例えば、制御部１６は、外気温度センサ１８によって外気温度が所定の温度以上に達したことを検知すると、冷房運転の負荷が所定のレベルを超えたと判断し、液送ポンプ６２及び気送ポンプ７２を制御して複数の噴霧ノズル５から水の噴霧を開始する。例えば、制御部１６は、所定時間の間、各噴霧ノズル５から連続的に又は間欠的に水が噴霧されるように液送ポンプ６２及び気送ポンプ７２を制御する。
【００４２】
（噴霧ノズルの特徴）
次に、複数の噴霧ノズル５の構造について詳細に説明する。本実施形態では、複数の噴霧ノズル５は、互いに同様の構造を有している。図３は、複数の噴霧ノズル５のうちの一つを示す断面図である。図３に示す噴霧ノズル５は、多数の気泡が予め混入された気泡混入水を噴霧孔から噴霧する二流体ノズルである。
【００４３】
図３に示すように、本実施形態の室外機１１は、各噴霧ノズル５が、第１気泡混入部２１と、第２気泡混入部２２と、第１噴霧部１と、第２噴霧部２とを有する点を特徴としている。第１気泡混入部２１は、多数の気泡が水に混入された第１混入水Ｗ１を生成する。第２気泡混入部２２は、多数の気泡が水に混入された第２混入水Ｗ２を生成する。第１噴霧部１は、第１気泡混入部２１から供給される第１混入水Ｗ１を噴霧する。第２噴霧部２は、第２気泡混入部２２から供給される第２混入水Ｗ２を噴霧する。
【００４４】
図３に示す実施形態では、噴霧ノズル５の軸方向（図３の上下方向）において、第１噴霧部１は、第１気泡混入部２１に隣接し、第２噴霧部２は、第２気泡混入部２２に隣接しているが、これらの構成に限られない。
【００４５】
以下、噴霧ノズル５の具体的な構成についてさらに説明するが、噴霧ノズル５は、以下に示す具体的実施形態に限定されるものではない。
【００４６】
（噴霧ノズルの具体的な全体構成）
噴霧ノズル５は、円柱状、角柱状などの柱形状を呈している。図１及び図３に示す本実施形態では、噴霧ノズル５は円柱形状を有する。図３に示すように、噴霧ノズル５は、胴部１０と、胴部１０よりも下流側（水の流れ方向の下流側）に位置するオリフィス部５０とを有している。本実施形態では、第１気泡混入部２１及び第２気泡混入部２２は、胴部１０に設けられており、第１噴霧部１及び第２噴霧部２は、オリフィス部５０に設けられているが、これに限られない。
【００４７】
胴部１０は、水供給源Ｔから供給される水をオリフィス部５０に案内する機能を有する。また、胴部１０は、第１気泡混入部２１において、胴部１０に供給された水に微細な気泡を混入させることにより、多数の気泡が水に混入された第１混入水Ｗ１を生成する機能を有する。また、胴部１０は、第２気泡混入部２２において、胴部１０に供給された水に微細な気泡を混入させることにより、多数の気泡が水に混入された第２混入水Ｗ２を生成する機能を有する。
【００４８】
オリフィス部５０は、第１気泡混入部２１において生成された第１混入水Ｗ１を受け入れるとともに、第２気泡混入部２２において生成された第２混入水Ｗ２を受け入れる。オリフィス部５０は、第１混入水Ｗ１を第1噴霧部１から噴霧する機能を有する。また、オリフィス部５０は、第２混入水Ｗ２を第２噴霧部２から噴霧する機能を有する。
【００４９】
第１噴霧部１は、第１混入水Ｗ１を噴霧する第１噴霧孔５１を有し、第２噴霧部２は、第２混入水Ｗ２を噴霧する第２噴霧孔５２を有する。第１噴霧部１は、第１混入水Ｗ１を安定的に噴霧ノズル５の外部に送るとともに、第１噴霧孔５１前後に圧力差を設けることで第１噴霧孔５１から出た気泡が膨張し、水滴を微細化して噴霧する機能を有する。同様に、第２噴霧部２は、第２混入水Ｗ２を安定的に噴霧ノズル５の外部に送るとともに、第２噴霧孔５２前後に圧力差を設けることで第２噴霧孔５２から出た気泡が膨張し、水滴を微細化して噴霧する機能を有する。
【００５０】
（胴部の具体的な構成）
次に、胴部１０の具体的な構成について説明するが、胴部１０の構成は、以下の構成に限定されるものではない。
【００５１】
胴部１０は、例えば円柱状、角柱状などの柱状の外形を有している。図３及び図４（Ａ）に示す本実施形態では、胴部１０は円柱状の外形を有している。本実施形態では、胴部１０は、互いに外径の異なる複数の管を含む。具体的に、胴部１０は、第１の管３１、第２の管３２、第３の管３３及び第４の管３４を含む。第１の管３１の外径が最も小さく、第４の管３４の外径が最も大きい。第４の管３４の内側に第３の管３３が隙間をあけて配置され、第３の管３３の内側に第２の管３２が隙間をあけて配置され、第２の管３２の内側に第１の管３１が隙間をあけて配置されている。本実施形態では、各管は、内部が中空の円柱形状（円筒形状）を有するが、これに限られず、内部が中空の角柱形状などであってもよい。本実施形態では、４つの管３１，３２，３３，３４の中心はほぼ一致しているが、これに限られず、径方向に多少ずれていてもよい。
【００５２】
第１の管３１の内周面によって区画される空間は、第１水流路ＷＦ１として機能する。第１の管３１の外周面と第２の管３２の内周面によって区画される空間は、第１エア流路ＡＦ１として機能する。第２の管３２の外周面と第３の管３３の内周面によって区画される空間は、第２水流路ＷＦ２として機能する。第３の管３３の外周面と第４の管３４の内周面によって区画される空間は、第２エア流路ＡＦ２として機能する。
【００５３】
第１の管３１には、厚み方向に貫通する複数の第１エア導入孔３１ａが設けられている。複数の第１エア導入孔３１ａは、例えば第１の管３１の周方向に互いに間隔をあけて設けられている。また、本実施形態では、複数の第１エア導入孔３１ａは、例えば第１の管３１の中心軸の方向（管の長手方向）にも互いに間隔をあけて設けられている。
【００５４】
第２の管３２には、厚み方向に貫通する複数の第２エア導入孔３２ａが設けられている。複数の第２エア導入孔３２ａは、例えば第２の管３２の周方向に互いに間隔をあけて設けられている。また、本実施形態では、複数の第２エア導入孔３２ａは、例えば第２の管３２の中心軸の方向（管の長手方向）にも互いに間隔をあけて設けられている。
【００５５】
第３の管３３には、厚み方向に貫通する複数の第３エア導入孔３３ａが設けられている。複数の第３エア導入孔３３ａは、例えば第３の管３３の周方向に互いに間隔をあけて設けられている。また、本実施形態では、複数の第３エア導入孔３３ａは、例えば第３の管３３の中心軸の方向（管の長手方向）にも互いに間隔をあけて設けられている。
【００５６】
第４の管３４には、エア供給部３５が設けられている。エア供給部３５には、図１に示す気送配管７１が接続される。エア供給部３５は、第２エア流路ＡＦ２に空気を供給するための供給孔３５ａと、第１エア流路ＡＦ１に空気を供給するための供給孔３５ｂとを有する。供給孔３５ｂは、第２水流路ＷＦ２の水が入り込まないように第２水流路ＷＦ２とは仕切られている。図３に示す本実施形態では、供給孔３５ｂが第１エア流路ＡＦ１と第２エア流路ＡＦ２とを接続することによって、第１エア流路ＡＦ１にも空気を供給可能に構成されているが、第１エア流路ＡＦ１及び第２エア流路ＡＦ２に空気を供給する手段は、図例に限定されない。
【００５７】
第１エア導入孔３１ａの孔径、個数などを調節することによって、第１気泡混入部２１に注入する空気の量、気泡の大きさなどを調節でき、これにより、第１噴霧部１（第１噴霧孔５１）から噴霧される液滴の大きさ（微粒化の度合い）を調節できる。また、第２エア導入孔３２ａの孔径、個数などを調節することによって、第２気泡混入部２２に注入する空気の量、気泡の大きさなどを調節でき、これにより、第２噴霧部２（第２噴霧孔５２）から噴霧される液滴の大きさ（微粒化の度合い）を調節できる。また、第３エア導入孔３３ａの孔径、個数などを調節することによって、第２気泡混入部２２に注入する空気の量、気泡の大きさなどを調節でき、これにより、第２噴霧部２（第２噴霧孔５２）から噴霧される液滴の大きさ（微粒化の度合い）を調節できる。
【００５８】
本実施形態では、胴部１０の一端（図３では上端）に、水を第１水流路ＷＦ１と第２水流路ＷＦ２に分流するための水分流部３６が設けられている。水分流部３６には、図１に示す液送配管６１が接続される。水分流部３６の内部の流路は、その途中から第１水流路ＷＦ１の一端（図３では上端）に接続される流路と第２水流路ＷＦ２の一端（図３では上端）に接続される流路にわかれている。第１水流路ＷＦ１の他端（図３では下端）は、第１噴霧部１に接続され、第２水流路ＷＦ２の他端（図３では下端）は、第２噴霧部２に接続されている。
【００５９】
第１エア流路ＡＦ１の一端（図３では上端）、及び第２エア流路ＡＦ２の一端（図３では上端）は、水分流部３６の表面（図３では下面）によって塞がれている。第１エア流路ＡＦ１の他端（図３では下端）、及び第２エア流路ＡＦ２の他端（図３では下端）は、オリフィス部５０の表面（図３では上面）によって塞がれている。
【００６０】
本実施形態では、第１水流路ＷＦ１が第１気泡混入部２１として機能し、第２水流路ＷＦ２が第２気泡混入部２２として機能する。したがって、本実施形態では、第１気泡混入部２１は、第１噴霧部１に向かって延びる形状（円柱形状）を呈する。また、第２気泡混入部２２は、第２噴霧部２に向かって延びるとともに、第１噴霧部１の周りを囲む環形状を呈する。すなわち、第２気泡混入部２２は、噴霧ノズル５をその軸方向に沿う方向に視たときに環形状を呈する空間である。
【００６１】
また、第１エア流路ＡＦ１は、第１気泡混入部２１と第２気泡混入部２２との間において第１気泡混入部２１の周りを環状に囲んでいる。第２エア流路ＡＦ２は、第２気泡混入部２２の周りを環状に囲んでいる。すなわち、第１エア流路ＡＦ１は、噴霧ノズル５をその軸方向に沿う方向に視たときに環形状を呈する空間であり、第２エア流路ＡＦ２は、噴霧ノズル５をその軸方向に沿う方向に視たときに環形状を呈する空間である。
【００６２】
図３に示すように、第１水流路ＷＦ１における径方向（図３では水平方向）の隙間の大きさは、第２水流路ＷＦ２における径方向の隙間の大きさよりも大きい。すなわち、第１の管３１の内周の直径は、第３の管３３の内周の半径から第２の管３２の外周の半径を引いた値よりも大きい。また、図４（Ａ）に示す水流路ＷＦ１，ＷＦ２の断面において、第１水流路ＷＦ１の断面積は、第２水流路ＷＦ２の断面積と同じに設定してもよく、第２水流路ＷＦ２の断面積よりも大きくしてもよく、第２水流路ＷＦ２の断面積よりも小さくしてもよい。
【００６３】
本実施形態では、胴部１０は、第１気泡混入部２１に供給する気泡を形成するための第１気泡形成部と、第２気泡混入部２２に供給する気泡を形成するための第２気泡形成部とを有する。
【００６４】
第１気泡形成部は、第１水流路ＷＦ１と第１エア流路ＡＦ１との境界部に設けられている。本実施形態における第１気泡形成部は、複数の第１エア導入孔３１ａを含む。各第１エア導入孔３１ａの孔径は、エア供給部３５における供給孔３５ａの孔径よりも小さい。第１気泡形成部は、第１の管３１のうち、最上流に位置するエア導入孔３１ａから最下流に位置するエア導入孔３１ａまでの筒状の部位をいう。
【００６５】
第１気泡形成部の複数の第１エア導入孔３１ａにおいて形成された多数の気泡は、第１水流路ＷＦ１（第１気泡混入部２１）に供給される。これにより、第１気泡混入部２１において、多数の気泡が水に混入された第１混入水Ｗ１が生成される。この第１混入水Ｗ１は、第１水流路ＡＦ１に沿ってオリフィス部５０に送られる。
【００６６】
第２気泡形成部は、第２水流路ＷＦ２と第１エア流路ＡＦ１との境界部、及び第２水流路ＷＦ２と第２エア流路ＡＦ２との境界部に設けられている。本実施形態における第２気泡形成部は、複数の第２エア導入孔３２ａと、複数の第３エア導入孔３３ａとを含む。各第２エア導入孔３２ａの孔径及び各第３エア導入孔３３ａの孔径は、エア供給部３５における供給孔３５ａの孔径よりも小さい。第２気泡形成部は、第２の管３２及び第３の管３３のうち、最上流に位置するエア導入孔３２ａ，３３ａから最下流に位置するエア導入孔３２ａ，３３ａまでの筒状の部位をいう。なお、第２気泡形成部は、第２エア導入孔３２ａと第３エア導入孔３３ａの何れか一方のみを有する形態であってもよい。
【００６７】
第２気泡形成部の複数の第２エア導入孔３２ａ及び第３エア導入孔３３ａにおいて形成された多数の気泡は、第２水流路ＷＦ２（第２気泡混入部２２）に供給される。これにより、第２気泡混入部２２において、多数の気泡が水に混入された第２混入水Ｗ２が生成される。この第２混入水Ｗ２は、第２水流路ＡＦ２に沿ってオリフィス部５０に送られる。
【００６８】
（オリフィス部の具体的な構成）
次に、オリフィス部５０の具体的な構成について説明するが、オリフィス部５０の構成は、以下の構成に限定されるものではない。
【００６９】
オリフィス部５０は、その前後で圧力差を生じさせて気泡の膨張により水滴を微細化して噴霧する機能を有する。また、オリフィス部５０は、上述したように第１エア流路ＡＦ１の他端及び第２エア流路ＡＦ２の他端を塞ぐ閉塞部としての機能も有する。オリフィス部５０は胴部１０に固定されている。
【００７０】
図４（Ｂ）は、図３のＩＶＢ−ＩＶＢ線断面図であり、図４（Ｃ）は、図３のＩＶＣ−ＩＶＣ線断面図であり、図４（Ｄ）は、噴霧ノズル５を図３の矢印ＩＶＤの方向に視た図である。図５（Ａ）は、噴霧ノズル５のオリフィス部５０を示す断面図である。これらの図に示すように、本実施形態におけるオリフィス部５０は、径方向内側に位置する内側円環部５０Ａと、内側円環部５０Ａの径方向外側に位置する外側円環部５０Ｂとを備える。これらの内側円環部５０Ａと外側円環部５０Ｂとの組合せによって、オリフィス部５０の径方向中央に第１噴霧孔５１が設けられ、第１噴霧孔５１の周りを囲む環形状の第２噴霧孔５２が設けられている。
【００７１】
図３、図４（Ｂ）〜（Ｄ）及び図５（Ａ）に示すように、オリフィス部５０は、第１噴霧部１と、第２噴霧部２とを有する。第１噴霧部１は、第１噴霧孔５１と、第１連通路８１とを含む。第２噴霧部２は、第２噴霧孔５２と、第２連通路８２とを含む。第１噴霧孔５１は、第１混入水Ｗ１を噴霧し、第２噴霧孔５２は、第２混入水Ｗ２を噴霧する。第１連通路８１は、第１混入水Ｗ１を第１噴霧孔５１に案内し、第２連通路８２は、第２混入水Ｗ２を第２噴霧孔５２に案内する。
【００７２】
第１噴霧部１は、内側円環部５０Ａに形成されている。第２噴霧部２は、内側円環部５０Ａと外側円環部５０Ｂとの間に設けられている。すなわち、第２噴霧部２は、内側円環部５０Ａの外周面と外側円環部５０Ｂの内周面との間に隙間が設けられた状態で内側円環部５０Ａと外側円環部５０Ｂが配置されることによって形成されている。
【００７３】
第１噴霧孔５１は、第１連通路８１の先端部につながっている。第１連通路８１及び第１噴霧孔５１は、第１水流路ＷＦ１と噴霧ノズル５の外部とを連通する。第１噴霧孔５１及び第１連通路８１は、内側円環部５０Ａの径方向の略中央に設けられた貫通孔を構成している。噴霧ノズル５の軸方向において、第１連通路８１は、第１水流路ＷＦ１に隣接している。
【００７４】
第２噴霧孔５２は、第２連通路８２の先端部につながっている。第２連通路８２及び第２噴霧孔５２は、第２水流路ＷＦ２と噴霧ノズル５の外部とを連通する。第２噴霧孔５２及び第２連通路８２は、内側円環部５０Ａの外周面と外側円環部５０Ｂの内周面との隙間であって環状に貫通する貫通孔を構成している。
【００７５】
第１連通路８１は、第１噴霧孔５１側に向かうにつれて（流路）内径が小さくなる第１テーパー面（内周面）８１ａによって区画されている。第１噴霧孔５１は、第１テーパー面８１ａの先端部８１ｂに接続された筒状の内周面５１ａによって区画されている。第１テーパー面８１ａと内周面５１ａは、内側円環部５０Ａの前記貫通孔の内周面を構成している。
【００７６】
噴霧ノズル５の軸方向において、第２連通路８２は、第２水流路ＷＦ２に隣接している。第２連通路８２は、第２噴霧孔５２側に向かうにつれて流路が小さくなる第２テーパー面（周面）８２ａによって区画されている。第２テーパー面８２ａは、径方向内側に位置する周面８２ａ１と径方向外側に位置する周面８２ａ２とを含む。第２噴霧孔５２は、第２テーパー面８２ａの先端部８２ｂに接続された周面５２ａによって区画されている。周面５２ａは、径方向内側に位置する周面５２ａ１と径方向外側に位置する周面５２ａ２とを含む。周面８２ａ１と周面５２ａ１は、内側円環部５０Ａの外周面を構成している。周面８２ａ２と周面５２ａ２は、外側円環部５０Ｂの内周面を構成している。
【００７７】
図４（Ｂ）〜（Ｄ）に示す実施形態では、第２噴霧孔５２に第２混入水Ｗ２を案内する第２連通路８２は、第１連通路８１の周りを環状に囲んでいる。すなわち、第２連通路８２は、噴霧ノズル５をその軸方向に視たときに環形状を呈する空間である。第２噴霧孔５２は、第２連通路８２の環形状に沿って設けられ、第１噴霧孔５１の周りを環状に囲んでいる。すなわち、第２噴霧孔５２は、噴霧ノズル５をその軸方向に視たときに環形状を呈する空間である。
【００７８】
図５（Ａ）に示す実施形態では、第２噴霧孔５２から噴霧される水の噴霧方向は、第１噴霧孔５１から噴霧される水の噴霧方向に対して遠ざかる方向に傾斜している。すなわち、第２噴霧孔５２から噴霧される水の噴霧方向は、第１噴霧孔５１から噴霧される水の噴霧方向に対して径方向外側に傾斜した方向に向いている。
【００７９】
第１噴霧孔５１から噴霧される水の噴霧方向は、第１噴霧孔５１の向きである。具体的に、図５（Ａ）に示すように、第１噴霧孔５１の向きは、内周面５１ａにより形成される筒形状の中心を通る直線Ｌ１の方向である。同様に、第２噴霧孔５２から噴霧される水の噴霧方向は、第２噴霧孔５２の向きである。具体的に、図５（Ａ）に示すように、第２噴霧孔５２の向きは、第１噴霧孔５１の中心を含む断面（図５（Ａ）に示す断面）において、周面５２ａにより形成される隙間の中心を通る直線Ｌ２の方向である。
【００８０】
（動作）
図３に示す実施形態では、第１気泡混入部２１において生成された第１混入水Ｗ１は、第１水流路ＷＦ１に沿ってオリフィス部５０の第１噴霧部１に案内される。第１噴霧部１に案内された第１混入水Ｗ１は、第１連通路８１のテーパー面８１ａに沿って第１噴霧孔５１に向かって流れる。この第１混入水Ｗ１は、第１連通路８１において次第に流速が高められて第１噴霧孔５１に到達する。第１噴霧孔５１に到達した第１混入水Ｗ１は、多数の微細な気泡を含んでおり、これらの気泡とともに噴霧ノズル５の外部に噴霧される。多数の気泡を含む水が第１噴霧孔５１から噴霧されるとき又は第１噴霧孔５１から噴霧された後、気泡が膨張し、はじけて水滴が微細化される。
【００８１】
同様に、第２気泡混入部２２において生成された第２混入水Ｗ２は、第２水流路ＷＦ２に沿ってオリフィス部５０の第２噴霧部２に案内される。第２噴霧部２に案内された第２混入水Ｗ２は、第２連通路８２のテーパー面８２ａに沿って第２噴霧孔５２に向かって流れる。この第２混入水Ｗ２は、第２連通路８２において次第に流速が高められて第２噴霧孔５２に到達する。第２噴霧孔５２に到達した第２混入水Ｗ２は、多数の微細な気泡を含んでおり、これらの気泡とともに噴霧ノズル５の外部に噴霧される。多数の気泡を含む水が第２噴霧孔５２から噴霧されるとき又は第２噴霧孔５２から噴霧された後、気泡が膨張し、はじけて水滴が微細化される。
【００８２】
図３に示すように噴霧ノズル５の第１噴霧孔５１及び第２噴霧孔５２から噴霧される水は、例えば図１の一点鎖線によって示されるような軌跡を描いて移動し、熱交換器１３に向かう空気を冷却する。
【００８３】
（変形例１）
図５（Ｂ）は、変形例１の噴霧ノズル５のオリフィス部５０を示す断面図である。図５（Ｂ）に示すように、第２噴霧孔５１から噴霧される水の噴霧方向は、第１噴霧孔５１から噴霧される水の噴霧方向と同じ方向を向いていてもよい。
【００８４】
（変形例２）
図６は、変形例２の噴霧ノズル５を示す断面図である。図７（Ａ）は、図６のＶＩＩＡ−ＶＩＩＡ線断面図であり、図７（Ｂ）は、図６のＶＩＩＢ−ＶＩＩＢ線断面図であり、図７（Ｃ）は、変形例２の噴霧ノズル５を図６の矢印ＶＩＩＣの方向に視た図である。変形例２の噴霧ノズル５では、胴部１０は、図３に示す噴霧ノズル５と同じ構造であるので、その詳細な説明は省略する。
【００８５】
図６及び図７（Ｂ），（Ｃ）に示すように、オリフィス部５０は、第１噴霧部１と、第２噴霧部２とを有する。第１噴霧部１は、第１噴霧孔５１と、第１連通路８１とを含む。第２噴霧部２は、複数の第２噴霧孔５２と、複数の第２連通路８２とを含む。第１噴霧孔５１は、第１混入水Ｗ１を噴霧し、各第２噴霧孔５２は、第２混入水Ｗ２を噴霧する。第１連通路８１は、第１混入水Ｗ１を第１噴霧孔５１に案内し、各第２連通路８２は、第２混入水Ｗ２を対応する第２噴霧孔５２に案内する。
【００８６】
図７（Ｂ）に示すように、変形例２では、複数の連通路８２は、互いに周方向に間隔をあけて第１連通路８１の周方向に沿って並んでいる。この変形例２では、複数の第２連通路８２は、等間隔で並んでいるが、これに限られない。
【００８７】
図７（Ｃ）に示すように、変形例２では、複数の第２噴霧孔５２は、互いに周方向に間隔をあけて第１噴霧孔５１の周りに並んでいる。この変形例２では、複数の第２噴霧孔５２は、等間隔で並んでいるが、これに限られない。
【００８８】
第１噴霧孔５１は、第１連通路８１の先端部につながっている。第１連通路８１及び第１噴霧孔５１は、第１水流路ＷＦ１と噴霧ノズル５の外部とを連通する。第１噴霧孔５１及び第１連通路８１は、オリフィス部５０の径方向の略中央に設けられた貫通孔を構成している。噴霧ノズル５の軸方向において、第１連通路８１は、第１水流路ＷＦ１に隣接している。
【００８９】
各第２噴霧孔５２は、対応する第２連通路８２の先端部につながっている。各第２連通路８２とこれに対応する第２噴霧孔５２は、第２水流路ＷＦ２と噴霧ノズル５の外部とを連通する。複数の第２連通路８２は、第２水流路ＷＦ２の周方向に沿って並んでおり、第２水流路ＷＦ２に連通している。噴霧ノズル５の軸方向において、複数の第２連通路８２は、第２水流路ＷＦ２に隣接している。各第２噴霧孔５２及びこれに対応する第２連通路８２は、オリフィス部５０に設けられた貫通孔を構成している。
【００９０】
第１連通路８１は、第１噴霧孔５１側に向かうにつれて（流路）内径が小さくなる第１テーパー面（内周面）８１ａによって区画されている。第１噴霧孔５１は、第１テーパー面８１ａの先端部に接続された筒状の内周面５１ａによって区画されている。第１テーパー面８１ａと内周面５１ａは、オリフィス部５０の前記貫通孔の内周面を構成している。
【００９１】
各第２連通路８２は、対応する第２噴霧孔５２側に向かうにつれて内径（流路）が小さくなる第２テーパー面（内周面）８２ａによって区画されている。各第２噴霧孔５２は、対応する第２テーパー面８２ａの先端部に接続された筒状の内周面５１ａによって区画されている。各第２テーパー面８２ａとこれに対応する内周面５２ａは、オリフィス部５０に設けられた複数の貫通孔の一つの内周面を構成している。前記複数の貫通孔は、周方向に互いに間隔をあけて並んでいる。
【００９２】
図６に示す変形例２では、第２噴霧孔５２から噴霧される水の噴霧方向は、第１噴霧孔５１から噴霧される水の噴霧方向に対して遠ざかる方向に傾斜している。すなわち、第２噴霧孔５２から噴霧される水の噴霧方向は、第１噴霧孔５１から噴霧される水の噴霧方向に対して径方向外側に傾斜した方向に向いているが、これに限られず、同じ方向を向いていてもよい。
【００９３】
（変形例３）
図８（Ａ）〜（Ｃ）は、変形例３の噴霧ノズル５を示す図である。図８（Ａ）は、図６のＶＩＩＡ−ＶＩＩＡ線と同じ位置で変形例３の噴霧ノズル５を切断したときの断面図であり、図８（Ｂ）は、図６のＶＩＩＢ−ＶＩＩＢ線と同じ位置で変形例３の噴霧ノズル５を切断したときの断面図であり、図８（Ｃ）は、変形例３の噴霧ノズル５を図６の矢印ＶＩＩＣの方向と同じ方向から視た図である。図９は、変形例３の噴霧ノズル５、熱交換器１３及び送風機１４の配置例を示す側面図である。
【００９４】
変形例３の噴霧ノズル５は、複数の第２噴霧孔５２の並びが変形例２と異なっている以外は、変形例２の噴霧ノズル５と同様である。したがって、以下では、変形例２と異なる構成についてのみ説明する。
【００９５】
この変形例３の噴霧ノズル５は、噴霧ノズル５、熱交換器１３及び送風機１４を例えば図９に示すように配置する場合に適している。図９に示す配置例では、噴霧ノズル５は、ケース１２の上部に設けられている。そして、噴霧ノズル５は、第１噴霧孔５１及び複数の第２噴霧孔５２が噴霧ノズル５の下部に位置するような姿勢で配置されている。第１噴霧孔５１及び複数の第２噴霧孔５２は、下方又は斜め下方に水を噴霧する。
【００９６】
図８（Ｂ），（Ｃ）に示すように、変形例３では、複数の第２噴霧孔５２のうち、熱交換器１３に近い側に設けられた隣り合う第２噴霧孔５２１（５２）と第２噴霧孔５２２（５２）の間隔は、残りの第２噴霧孔５２における隣同士の間隔よりも大きい。隣り合う第２噴霧孔５２の間隔は、２つの噴霧孔５２，５２の中心を結ぶ直線の距離である。すなわち、変形例３では、オリフィス部５０における熱交換器１３に近い側には、熱交換器１３から遠い側に比べて、第２噴霧孔５２が設けられている個数が少ない。
【００９７】
これにより、熱交換器１３に近い側からの噴霧量を遠い側からの噴霧量に比べて相対的に少なくすることができる。これにより、噴霧された液滴が蒸発せずに熱交換器１３に付着するのをさらに抑制することができる。
【００９８】
また、図９に示す室外機１１は、送風機１４がケース１２の上部に設けられているので、ケース１２の側板に設けられた吸込口から吸い込まれる空気は、熱交換器１３を通過してケース１２内を上方に流れる。この場合、熱交換器１３を通過する空気の風速は、上部ほど大きくなりやすい。図９に示すように、上部の風速Ｖ１は、それより下方の風速Ｖ２〜Ｖ４よりも大きい。
【００９９】
このような室外機１１では、変形例３における噴霧ノズル５が特に効果的である。すなわち、風速の大きな熱交換器１３の上部に向かう空気に対しては、第２噴霧孔５２から噴霧される水の量を少なくすることができる。これにより、熱交換器１３の上部においても水滴の付着が抑制される。
【０１００】
（実施形態のまとめ）
以上説明したように、実施形態及び各変形例では、噴霧ノズル５が第１噴霧部１と第２噴霧部２とを有し、第１噴霧部１には、第１気泡混入部２１から第１混入水Ｗ１が供給され、第２噴霧部２には、第２気泡混入部２２から第２混入水Ｗ２が供給される。すなわち、単一の噴霧ノズル５内に、各噴霧部に対応する気泡混入部が設けられているので、各気泡混入部において多数の気泡が混入された水を対応する噴霧部に、気泡の偏在が抑制された状態で供給することができる。これにより、それぞれの噴霧部から微細な液滴を噴霧することができるので、水の蒸発を促進して熱交換器の腐食を抑制することができる。
【０１０１】
また、実施形態及び各変形例では、各気泡混入部が対応する噴霧部の隣りに設けられているので、各気泡混入部において多数の気泡が水に混入された直後に、その混入水を対応する噴霧部に供給することができる。これにより、気泡の偏在がさらに抑制された状態で複数の噴霧部のそれぞれに対応する気泡混入部から混入水を供給することができる。
【０１０２】
また、実施形態及び各変形例では、第１気泡混入部２１は、第１噴霧部１に向かって延びる形状を呈し、第２気泡混入部２２は、第２噴霧部２に向かって延びるとともに、第１噴霧部１の周りを囲む環形状を呈しているので、噴霧ノズル５内のスペースを有効に利用しつつ、２つの気泡混入部２１，２２を互いに独立した状態で設けることができる。
【０１０３】
また、実施形態及び各変形例では、噴霧ノズル５は、第１気泡混入部２１と第２気泡混入部２２との間において第１気泡混入部２１の周りを囲む環形状を呈し、第１気泡混入部２１に空気を供給するための第１エア流路Ｆ１と、第２気泡混入部２２の周りを囲む環形状を呈し、第２気泡混入部２２に空気を供給するための第２エア流路Ｆ２と、有する。この構成では、第１気泡混入部２１には、その周りに設けられた第１エア流路Ｆ１から第１気泡混入部２１の周方向全体に空気を満遍なく供給することができ、また、第２気泡混入部２２には、その周りに設けられた第２エア流路Ｆ２から第２気泡混入部２２の周方向全体に空気を満遍なく供給することができる。これにより、各気泡混入部においては、周方向において気泡の偏りが少ない気泡混入水を生成することができる。
【０１０４】
また、実施形態では、第１噴霧部１は、前記第１混入水Ｗ１を噴霧する第１噴霧孔５１を有し、第２噴霧部２は、第２混入水Ｗ２を噴霧する第２噴霧孔５２を有し、第２噴霧孔５２は、第１噴霧孔５１の周りを囲む環形状を呈している。この構成では、第１噴霧孔５１から第１混入水Ｗ１を噴霧するとともに、その周りを囲む第２噴霧孔５２から第２混入水Ｗ２を環状に噴霧することができる。これにより、噴霧された水と空気との接触面積を大きくすることができる。また、この構成では、第２気泡混入部２２が第１気泡混入部２１の周りを囲む環形状を呈する場合には、第２気泡混入部２２の環形状に沿った位置に第２噴霧孔５２を設けることができる。したがって、環形状の第２気泡混入部２２において多数の気泡が混入された第２混入水Ｗ２を、環形状の第２気泡混入部２２に沿って設けられた環形状の第２噴霧孔５２に供給することができる。これにより、第２噴霧孔５２から微細な液滴を環状に安定して噴霧することができる。
【０１０５】
変形例２，３では、第１噴霧部１は、第１混入水Ｗ１を噴霧する第１噴霧孔５１を有し、第２噴霧部２は、第２混入水Ｗ２を噴霧する複数の第２噴霧孔５２を有し、複数の第２噴霧孔５２は、互いに間隔をあけて第１噴霧孔５１の周方向に沿って並んでいる。この構成では、第１噴霧孔５１から第１混入水Ｗ１を噴霧するとともに、その周方向に沿って並ぶ複数の第２噴霧孔５２のそれぞれから第２混入水Ｗ２を噴霧することができる。これにより、噴霧された水と空気との接触面積を大きくすることができる。また、この構成では、第２気泡混入部２２が第１気泡混入部２１の周りを囲む環形状を呈する場合には、第２気泡混入部２２の環形状に沿った位置に複数の第２噴霧孔５２を並べることができる。したがって、環形状の第２気泡混入部２２において多数の気泡が混入された第２混入水Ｗ２を、環形状の第２気泡混入部２２に沿って並ぶ複数の第２噴霧孔５２に供給することができる。これにより、複数の第２噴霧孔５２から微細な液滴を環状に安定して噴霧することができる。
【０１０６】
変形例３では、複数の第２噴霧孔５２のうち、熱交換器１３に近い側に設けられた隣り合う第２噴霧孔５２１，５２２の間隔は、残りの第２噴霧孔５２における隣同士の間隔よりも大きい。この構成では、図９に示すような配置例において、噴霧された液滴が蒸発せずに熱交換器１３に付着するのをさらに抑制することができる。
【０１０７】
実施形態及び変形例２，３では、第２噴霧孔５２から噴霧される水の噴霧方向は、第１噴霧孔５１から噴霧される水の噴霧方向に対して遠ざかる方向に傾斜している。この構成では、第１噴霧孔５１から噴霧される水の拡散範囲と、第２噴霧孔５２から噴霧される水の拡散範囲とが重なりにくくなる。したがって、互いの拡散範囲が重なることに起因して水の粒径が大きくなるのを抑制できる。
【０１０８】
また、第２噴霧孔５２から噴霧される水の噴霧方向が傾斜していることによって、噴霧ノズル５全体としての噴霧角度が広がるので、水の蒸発効果を改善できる。
【０１０９】
また、実施形態及び各変形例では、第１噴霧孔５１から噴霧される水の粒径、粒子の速度などの噴霧状態と、第２噴霧孔５１から噴霧される水の粒径、粒子の速度などの噴霧状態と、を互いに独立して調節することができる。例えば、水平方向に水を噴霧する場合、通常、中心部の蒸発時間（飛行距離、飛行時間）が短くなる傾向にあるので、第１噴霧孔５１から噴霧される水の速度を第２噴霧孔５２から噴霧される水の速度よりも遅くしてもよい。
【０１１０】
また、実施形態及び各変形例においては、複数の噴霧孔５１，５２の合計の開口面積を、例えば１つの噴霧孔のみが設けられた従来の噴霧ノズルの噴霧孔の開口面積と同程度に設定してもよい。この場合、１つ当たりの噴霧孔から噴霧される水の量を従来に比べて少なくでき、しかも、噴霧される水と空気の接触面積を大きくできる。これにより、蒸発に必要な水の飛行距離（飛行時間）を小さくできる。なお、実施形態及び各変形例における複数の噴霧孔５１，５２の合計の開口面積は、上記に限られず、１つの噴霧孔のみが設けられた従来の噴霧ノズルの噴霧孔の開口面積よりも大きくしてもよい。
【０１１１】
また、実施形態及び各変形例では、胴部１０において、複数の気泡混入部が設けられているので、単一の気泡混入部を設ける場合に比べて、１つの気泡混入部当たりの断面積（水の流れ方向に直交する断面の面積）を小さくできる。これにより、気泡混入部において気泡の偏りが生じるのを抑制できる。
【０１１２】
また、実施形態及び各変形例では、各気泡混入部の隣りに噴霧部を設けているので、これらを接続するための複雑な経路を必要としない。これにより、多数の気泡が分散された状態を維持したまま噴霧部に混入水を供給できる。
【０１１３】
また、実施形態及び変形例では、各噴霧孔から噴霧される水の噴霧角度は、数十度（例えば３０°以内である場合が多い）であり、必ずしも周りの空気との接触面積が大きくないのであるが、複数の噴霧孔が設けられているので、全体としては、水と空気の接触面積を大きくすることができる。これにより、１つの噴霧ノズル５で水と空気との大きな接触面積を確保できるので、１つの室外機１１に対して設ける噴霧ノズル５の個数を削減できる。
【０１１４】
実施形態及び各変形例では、水の流れ方向に直交する断面の形状が円形の第１気泡混入部２１と、この第１気泡混入部２１と同心の断面環状（ドーナツ状）の第２気泡混入部２２とが設けられている。そして、断面環状（ドーナツ状）の第１エア流路ＡＦ１と、断面環状（ドーナツ状）の第２エア流路ＡＦ２とから対応する水流路に気泡を注入する。
【０１１５】
（その他の変形例）
以上、本発明の実施形態について説明したが、本発明はこれらの実施形態に限定されるものではなく、その趣旨を逸脱しない範囲で種々変更、改良等が可能である。
【０１１６】
例えば、前記実施形態では、噴霧装置４が複数の噴霧ノズル５を備える場合を例示したが、これに限られず、噴霧装置４は、１つの噴霧ノズル５のみを備えていてもよい。
【０１１７】
図１０に示すように、噴霧ノズル５、熱交換器１３及び送風機１４が配置されていてもよい。図１０に示す配置例では、送風機１４が熱交換器１３に水平方向に対向する位置に設けられている。このような形態は、例えば家庭用の小型の室外機などで採用されているが、それに限定されるものではない。
【０１１８】
また、図１１に示すように、噴霧ノズル５、熱交換器１３及び送風機１４が配置されていてもよい。図１１に示す配置例では、噴霧ノズル５は、オリフィス部５０の各噴霧孔５１，５２から熱交換器１３に向けて水を噴霧する。
【符号の説明】
【０１１９】
１  第１噴霧部
２  第２噴霧部
４  噴霧装置
５  噴霧ノズル
１０  胴部
１１  室外機
１２  ケース
１３  熱交換器
２１  気泡混入部
２２  気泡混入部
５０  オリフィス部
５１  第１噴霧孔
５２  第２噴霧孔
Ｆ１  第１エア流路
Ｆ２  第２エア流路
Ｗ１  第１混入水
Ｗ２  第２混入水
ＷＦ１  第１水流路
ＷＦ２  第２水流路
ＡＦ１  第１エア流路
ＡＦ２  第２エア流路
【図１】
2014126334.tif 000003
【図２】
2014126334.tif 000004
【図３】
2014126334.tif 000005
【図４】
2014126334.tif 000006
【図５】
2014126334.tif 000007
【図６】
2014126334.tif 000008
【図７】
2014126334.tif 000009
【図８】
2014126334.tif 000010
【図９】
2014126334.tif 000011
【図１０】
2014126334.tif 000012
【図１１】
2014126334.tif 000013